(57)【要約】【課題】　音声通信および映像通信を同時に行う場合に良好な通信姿勢が保たれ、装置を収納する場合に画面やカメラのレンズを保護する電子機器や携帯無線通信装置を提供する。【解決手段】　筐体１ｂに接続されるカメラ部９を有する筐体１ｃとからなり、このカメラ部９を有する筐体１ｃは、筐体１ｂの長手方向に直行する軸、並びに筐体１ｂの長手方向に平行な軸を夫々中心に回転可能とされる。【選択図】　　　図１
2004104832.tif 000002
【特許請求の範囲】
【請求項１】
少なくとも１つの筐体と、
　該筐体に接続されるカメラ部を有する筐体とからなり、
　該カメラ部を有する筐体は、上記少なくとも１つの筐体の長手方向に直行する軸を中心に回転可能とすることを特徴とする電子機器。
【請求項２】
少なくとも１つの筐体と、
　該筐体に接続されるカメラ部を有する筐体とからなり、
　該カメラ部を有する筐体は、上記少なくとも１つの筐体の長手方向に直行する軸、並びに上記少なくとも１つの筐体の長手方向に平行な軸を夫々中心に回転可能とすることを特徴とする電子機器。
【請求項３】
第１の回転軸によって、スピーカを備える第１の筐体とマイクを備える第２の筐体とを回転自在に連結する第１の連結手段と、
　第２の回転軸によって、カメラを前記第１または第２の筐体に向かって折り畳み可能とし、前記カメラを前記第１または第２の筐体に向かって折り畳んだ場合に前記第２の回転軸に直交する第３の回転軸によって回転自在となるように連結する第２の連結手段とを有することを特徴とする携帯無線通信装置。
【請求項４】
前記第２の連結手段は、互いに垂直な２つの回転軸を備える自在継手の両端に夫々前記第１または第２の筐体と前記カメラとを連結することを特徴とする請求項３に記載の携帯無線通信装置。
【請求項５】
前記カメラは、前記第２の回転軸を中心として１８０度回転自在であることを特徴とする請求項３または４に記載の携帯無線通信装置。
【請求項６】
前記カメラは、前記第３の回転軸を中心として３６０度回転自在であることを特徴とする請求項３から５の何れか１項に記載の携帯無線通信装置。
【請求項７】
カメラが連結された第１の筐体と、
　前記第１の筐体と折り畳み自在に連結された第２の筐体を備え、
　前記カメラのレンズが前記第２の筐体の表面に対向するように折り畳み可能に構成されたことを特徴とする携帯無線通信装置。
【請求項８】
前記第１の筐体にスピーカ若しくはマイクが備えられており、前記カメラが、前記第１の筐体のスピーカ若しくはマイクが備えられた面の長手方向とは異なる方向を回転軸として回転可能なことを特徴とする請求項７に記載の携帯無線通信装置。
【請求項９】
前記カメラが、前記回転軸によって１８０度回転可能なことを特徴とする請求項８に記載の携帯無線通信装置。
【請求項１０】
スピーカ及びマイクを備える携帯無線通信装置本体と、
前記携帯無線通信装置本体に連結されたカメラとを含む携帯無線通信装置において、
　前記携帯無線通信装置本体の表面のうち前記スピーカ若しくはマイクが備えられた面の長手方向とは異なる方向を回転軸として、前記カメラが前記スピーカ若しくはマイクが備えられた面の反対側の面まで回転することを特徴とする携帯無線通信装置。
【請求項１１】
前記カメラが、前記回転軸によって１８０度回転可能なことを特徴とする請求項１０に記載の携帯無線通信装置。
【請求項１２】
前記カメラが、前記筐体に設けられた表示器の近傍に設けられていることを特徴とする請求項１０または１１に記載の携帯無線通信装置。
【請求項１３】
カメラが連結された第１の筐体と、前記第１の筐体と折り畳み自在に連結された第２の筐体とを備えた携帯無線通信装置の折り畳み方法において、
　前記カメラのレンズを前記第２の筐体の表面に対向するように折り畳むステップを含むことを特徴とする携帯無線通信装置の折り畳み方法。
【請求項１４】
スピーカ及びマイクを備える携帯無線通信装置本体と、前記携帯無線通信装置本体に連結されたカメラとを含む携帯無線通信装置のカメラの回転方法において、前記携帯無線通信装置本体の表面のうち前記スピーカ若しくはマイクが備えられた面の反対側の面まで回転させるステップを含むことを特徴とする携帯無線通信装置のカメラの回転方法。
【発明の詳細な説明】
【技術分野】
【０００１】
　本発明は、音声通信および映像通信が可能な電子機器に関し、特に音声と映像とを同時に通信可能な電子機器、携帯無線通信装置及びその方法に関する。
【背景技術】
【０００２】
　近年、映像通信が可能な電子機器として例えば携帯無線通信装置が多数提案されている。例えば、映像通信時と音声通信時とにおいてそれぞれ良好な通信姿勢が得られ、かつコンパクトな形に変形可能な携帯無線通信装置が提案されている（例えば、特許文献１参照）。
【０００３】
　図７は、特許文献１に記載されている従来の携帯無線通信装置の外観を示す斜視図である。図７に示すように、通信装置本体１００は、第１の筐体１０１と、第２の筐体２００と、第３の筐体３００とから構成されている。第１の筐体１０１の長手方向の両端にはヒンジ部１０２、３０２がそれぞれ設置されており、ヒンジ部１０２を介して第１の筐体１０１と第２の筐体２００とが連結されている。また、ヒンジ部３０２を介して第１の筐体１０１と第３の筐体３００とが第３の筐体３００の長手方向が第１の筐体１０１の長手方向に対して傾斜するように連結されている。第２の筐体２００は第１の筐体１０１に折り畳むことができ、第３の筐体３００は第１の筐体１０１に折り畳まれた第２の筐体２００の上にさらに折り畳むことができる。
【０００４】
　第１の筐体１０１にはカメラ部１０４および映像通信操作部１０３が設けられ、第１の筐体１０１と第２の筐体２００とを連結するヒンジ部１０２の近傍にはマイク部（不図示）が設けられている。第２の筐体２００には音声通信操作部２０１が設けられ、音声通信操作部２０１が設けられた面の反対面には表示部（不図示）が設けられている。第３の筐体３００にはスピーカ部３０１が設けられている。
【０００５】
　上述のような従来の携帯無線通信装置では、カメラ部１０４が取り込む画像は通信装置本体１を動かさなければ変更することができないため、カメラ部１０４が取り込む画像を変更したい時には、常に通信装置本体１を動かすことが必要になる。また、カメラ部１０４が常に携帯無線通信装置の外面に露出しているため、落下の衝撃等によりカメラ部１０４のレンズが破壊される危険性がある。
【０００６】
【特許文献１】特開平８−３２１８６３号公報
【発明の開示】
【発明が解決しようとする課題】
【０００７】
　上述のような従来の携帯無線通信装置は以下に示す２つの問題点を有している。
（１）　音声通信と映像通信とを同時に行おうとした場合に、カメラの位置や向きがマイクなどに対して固定されているため、カメラの画像を変更したいときには、音声通信中の操作者がマイクを口元から離して携帯無線通信装置自体の向きを変えるか、操作者自体の姿勢を変える必要があり、良好な音声の通信状態を保つことが難しい。
（２）　カメラが常に携帯無線通信装置の装置外面に露出しているため、落下の衝撃等によりカメラのレンズが破損する恐れがある。
【０００８】
　本発明は、音声通信と映像通信を同時に行おうとしたときに、良好な通信姿勢を保ちながら、カメラを所望の方向に向けることができる電子機器や携帯無線通信装置を提供することを目的とする。
【０００９】
　また、本発明は、装置を使用しないときには、カメラのレンズを保護することによってカメラのレンズの破損を防ぐ電子機器や携帯無線通信装置を提供することを目的とする。
【課題を解決するための手段】
【００１０】
　上記問題点を解決するために、本発明の電子機器では、少なくとも１つの筐体と、この筐体に接続されるカメラ部を有する筐体とからなり、このカメラ部を有する筐体は、少なくとも１つの筐体の長手方向に直行する軸を中心に回転可能とするものである。
【００１１】
　また、本発明の電子機器では、少なくとも１つの筐体と、この筐体に接続されるカメラ部を有する筐体とからなり、このカメラ部を有する筐体は、少なくとも１つの筐体の長手方向に直行する軸、並びに少なくとも１つの筐体の長手方向に平行な軸を夫々中心に回転可能とするものである。
【００１２】
　また本発明の携帯無線通信装置は、第１の回転軸によって、スピーカを備える第１の筐体とマイクを備える第２の筐体とを回転自在に連結する第１の連結手段と、第２の回転軸によって、カメラを第１または第２の筐体に向かって折り畳み可能とし、カメラを前記第１または第２の筐体に向かって折り畳んだ場合に前記第２の回転軸に直交する第３の回転軸によって回転自在となるように連結する第２の連結手段を有するものである。
【００１３】
　また本発明の携帯無線通信装置は、上記において、第２の連結手段は、互いに垂直な２つの回転軸を備える自在継手の両端に夫々前記第１または第２の筐体とカメラとを連結するものである。
【００１４】
　また本発明の携帯無線通信装置は、上記において、カメラは、前記第２の回転軸を中心として１８０度回転自在とされたものである。
【００１５】
　また本発明の携帯無線通信装置は、上記においた、カメラは、第３の回転軸を中心として３６０度回転自在とされたものである。
【００１６】
　また本発明の携帯無線通信装置は、カメラが連結された第１の筐体と、この第１の筐体と折り畳み自在に連結された第２の筐体を備え、このカメラのレンズが第２の筐体の表面に対向するように折り畳み可能に構成されたものである。
【００１７】
　また本発明の携帯無線通信装置は、上記において、第１の筐体にスピーカ若しくはマイクが備えられており、カメラが、第１の筐体のスピーカ若しくはマイクが備えられた面の長手方向とは異なる方向を回転軸として回転可能とされたものである。
【００１８】
　また本発明の携帯無線通信装置は、上記において、カメラが、回転軸によって１８０度回転可能とされたものである。
【００１９】
　また本発明の携帯無線通信装置は、スピーカ及びマイクを備える携帯無線通信装置本体と、この携帯無線通信装置本体に連結されたカメラとを含む携帯無線通信装置において、携帯無線通信装置本体の表面のうちスピーカ若しくはマイクが備えられた面の長手方向とは異なる方向を回転軸として、カメラが前記スピーカ若しくはマイクが備えられた面の反対側の面まで回転するものである。
【００２０】
　また本発明携帯無線通信装置は、上記において、カメラが、回転軸によって１８０度回転可能とされたものである。
【００２１】
　また本発明携帯無線通信装置は、上記において、カメラが、筐体に設けられた表示器の近傍に設けられているものである。
【００２２】
　また本発明の携帯無線通信装置の折り畳み方法は、カメラが連結された第１の筐体と、第１の筐体と折り畳み自在に連結された第２の筐体とを備えた携帯無線通信装置の折り畳み方法において、カメラのレンズを前記第２の筐体の表面に対向するように折り畳むステップを含むものである。
【００２３】
　また本発明の携帯無線通信装置のカメラの回転方法は、スピーカ及びマイクを備える携帯無線通信装置本体と、携帯無線通信装置本体に連結されたカメラとを含む携帯無線通信装置のカメラの回転方法において、携帯無線通信装置本体の表面のうちスピーカ若しくはマイクが備えられた面の反対側の面まで回転させるステップを含むものである。
【発明の効果】
【００２４】
　本発明の携帯無線通信装置では、以下に示す５つの効果を有する。
（１）　カメラが３６０度回転自在に設置されることによって、音声通信中においてもカメラの向きを変更して画像を取り込むことができるため、良好な通信姿勢を保ったままで通信を行うことができる。
（２）　複数の筐体が折り畳まれたときに、映像表示手段の画面とカメラのレンズとが筐体の表面に対向するように配設されているため、映像表示手段の画面とカメラのレンズとを保護して、それらの破損を防ぐことができる。
（３）　第３の筐体に切り欠き部が設けられることによって、アンテナを切り欠きに収納することができるため、装置を落としたときの衝撃や外力から、アンテナを保護することができる。また、収納された装置を取り出す際にアンテナを引っかけることなく装置をスムーズに取り出すことができる。
（４）　カメラのみを第２の筐体に３６０度回転自在に連結することによって、カメラの映像を変更したい場合に、カメラのみを回転させるだけでよいため、操作者の顔に装置の一部を当てないようにすることができる。
（５）　スピーカを備える第１の筐体にカメラを連結することによって、カメラの高さが常に操作者の目線と同等の高さとなるため、カメラが使用者が見る光景と同様の光景の画像を取り込むことができる。
【発明を実施するための最良の形態】
【００２５】
　次に、本発明の実施形態について図面を参照して詳細に説明する。全図において、同一の符号がつけられている構成要素は、すべて同一のものを示す。
【実施例１】
【００２６】
　図１は、本発明の携帯無線通信装置の外観を示す斜視図である。図１に示すように、通信装置本体１が第１の筐体１ａと第２の筐体１ｂと第３の筐体１ｃとに３分割され、この順番に直列に連結されている。
【００２７】
　第１の筐体１ａと第２の筐体１ｂとはヒンジ部２によって折り畳み自在に連結されている。また、第２の筐体１ｂと第３の筐体１ｃとは自在継手部３を介して互いに回転可動に連結されている。自在継手部３は自在継手３ｂと自在継手３ｃとが連結されたものである。第１の筐体１ａと第２の筐体１ｂと第３の筐体１ｃとは、第２の筐体１ｂを中心に折り畳み自在となっている。第１の筐体１ａは、その前面にスピーカ部４および表示部５を備えており、その上面にアンテナ６を備えている。第２の筐体１ｂは、前面に操作部７およびマイク部８を備えている。第３の筐体１ｃは、その前面にカメラ部９を備えており、その背面にはアンテナ６を収納する切り欠き１４を備えている。
【００２８】
　図２は、携帯無線通信装置の自在継手部３の外観を示す斜視図である。図２に示すように、自在継手３ｂは、軸ｂを中心として時計回りに９０度、反時計周りに９０度の合計１８０度回転することができる。自在継手３ｃは、自在継手３ｂと同様に、軸ｃを中心として時計回りに９０度、反時計周りに９０度の合計１８０度回転することができる。また、自在継手３ｂと自在継手３ｃは軸ｄを中心として、時計回りに１８０度、反時計回りに１８０度の合計３６０度回転することができる。本実施形態の携帯無線通信装置では、このような自在継手部３を備えることによって、第２の筐体１ｂに対して第３の筐体１ｃを第２の筐体１ｂの長手方向の軸を中心に３６０度回転させたり折り畳んだりすることができる。
【００２９】
　図３は、携帯無線通信装置の構成を示すブロック図である。図３に示すように、携帯無線通信装置は、スピーカ部４と、表示部５と、アンテナ６と、操作部７と、マイク部８と、カメラ部９と、通信回路部１０と、画像処理部１１と、ＲＯＭ１２と、制御部１３とから構成される。
【００３０】
　スピーカ部４と、マイク部８と、アンテナ６とは通信回路部１０に接続され、カメラ部９と表示部５とは画像処理部１１に接続され、表示部５とＲＯＭ１２と操作部７とは、制御部１３に接続されている。また、通信回路部１０と画像処理部１１と制御部１３とは互いに接続されている。
【００３１】
　音声通信を行う場合、通信回路部１０は、マイク部８から出力される音声を入力して無線信号に変換してアンテナ６に出力したり、アンテナ６から入力された無線信号を音声に変換して、スピーカ部４へ出力する。
【００３２】
　また、映像通信を行う場合、画像処理部１１は、カメラ部９から入力された画像を画像信号に変換して通信回路部１０に出力する。通信回路部１０は入力された画像信号を無線信号に変換し、アンテナ６に出力する。
【００３３】
　また、通信回路部１０は、アンテナ６から出力された無線信号を入力して画像信号に変換し、画像処理部１１に出力する。画像処理部１１は、その画像信号を画像に変換し、表示部５に出力する。制御部１３は、内部にマイクロコンピュータを備え、ＲＯＭ１２に記憶される所定の情報を用いて通話モード、撮影モードなどの全体の動作モードを管理する。
【００３４】
　次に、携帯無線通信装置の動作について図４を参照して詳細に説明する。通常、音声通信する場合、操作者は、第１の筐体１ａと第２の筐体１ｂとを適宜回転させることによって、マイク部８を口元へ、スピーカ部４を耳元へ近づけた状態にすることで、良好な通信姿勢で通話を行うことができる。
【００３５】
　また、映像通信する場合、音声通信時における通信装置本体１の形態から、さらに第３の筐体１ｃを自在に回転させて、カメラ部９の向きを変えることにより、良好な通信姿勢を保ったまま、カメラ部９が取り込む画像を変更することができる。
【００３６】
　図４は、携帯無線通信装置の収納時の外観を示す斜視図である。図４に示すように、収納されるときには、第１の筐体１ａと第３の筐体１ｃとを第２の筐体１ｂに折り重ねて、通信装置本体１をコンパクトにすることができる。また、第１の筐体１ａと第３の筐体１ｃとを第２の筐体１ｂに折り重ねたときに、表示部５とカメラ部９とは第２の筐体１ｂに対向するように配設されており、表示部５の画面と、カメラ部９のレンズとが通信装置本体１外部に露出しないようになっているため、表示部５の画面およびカメラ部９のレンズを保護して、それらの破損を防ぐことができる。
【００３７】
　また、第１の筐体１ａと第３の筐体１ｃとを第２の筐体１ｂに折り重ねたときに、アンテナ６が切り欠き部１４に収容されるようになっているため、通信装置本体１を落としたときの衝撃や外力から、アンテナ６を保護することができる。また、収納された通信装置本体１を取り出す際にアンテナ６を引っかけることなくスムーズに取り出すことができる。
【実施例２】
【００３８】
　次に、本発明の実施例２について図５を参照して説明する。図５は、携帯無線通信装置の外観を示す斜視図である。実施例２の携帯無線通信装置は、第３の筐体１ｃがなくカメラ部９が自在継手３ｂを介して、直接第２の筐体１ｂに連結されている点において、実施例１の携帯無線通信装置と異なっている。
【００３９】
　図５に示すように、カメラ部９は、第２の筐体１ｂに向かって折り畳まれる方向に１８０度回転自在で、かつ第２の筐体１ｂの長手方向に沿った軸を中心に３６０度回転自在に連結されている。
【００４０】
　実施例２の携帯無線通信装置では、カメラ部９は、図１の第３の筐体１ｃよりもコンパクトであるため、通話状態の時に、カメラ部９を回転させたとしても、操作者の顔に通信装置本体１の一部を当てないようにすることができる。
【実施例３】
【００４１】
　次に、実施例３の携帯無線通信装置について図６を参照して説明する。図６は、実施例３の携帯無線通信装置の外観を示す斜視図である。実施例２の携帯無線通信装置は、カメラ部９を自在継手３ａを介して、第２の筐体１ｂではなく第１の筐体１ｃに連結している点において、実施例２の携帯無線通信装置と異なっている。
【００４２】
　図６に示すように、カメラ部９は、第１の筐体１ｂに向かって折り畳まれる方向に１８０度回転自在で、かつ第１の筐体１ｂの長手方向に沿った軸を中心に３６０度回転自在に連結されている。
【００４３】
　実施例３の携帯無線通信装置では、カメラ部９がスピーカ部４を備える第１の筐体に連結されることによって、マイク部８を口元に、スピーカ部４を耳元に近づけた状態において、カメラ部９が操作者の目線と同等の高さとなるため、カメラ部９は操作者の見た光景と同様の光景の画像を取り込むことができる。また、ハンズフリー機能を新たに備えた場合、テレビ電話としても使用することができる。
【産業上の利用可能性】
【００４４】
　本発明は、移動体通信用の携帯電話、主に家庭で用いるコードレス電話に利用が可能である。また、発明のビデオカメラ、デジタルカメラにも利用が可能であり、その場合、カメラ部分以外は、例えば記録媒体に撮像映像及び音声、撮像映像、または音声を記録する部分等で構成される。更に、カメラで撮像した映像を解析し、その解析結果に基づいてユーザの意図する指示を画像で認識するインターフェース装置にも適用でき、その場合、カメラ部以外は、カメラ部を支える筐体、若しくはアーム（固定部から延在すると共に、カメラ部を支持する伸縮自在、あるいは折り畳み自在の部材）で構成される。その場合、上記実施例における自在継ぎ手部分は、アームの個々の部分を連結し、アームを伸縮自在、または折り畳み自在とする働きをする。
【図面の簡単な説明】
【００４５】
【図１】本発明の実施例１の携帯無線通信装置の外観を示す斜視図である。
【図２】本発明の実施例１の携帯無線通信装置の自在継手部の外観を示す斜視図である。
【図３】本発明の実施例１の携帯無線通信装置の構成を示すブロック図である。
【図４】本発明の実施例１の携帯無線通信装置の収納時の外観を示す斜視図である。
【図５】本発明の実施例２の携帯無線通信装置の外観を示す斜視図である。
【図６】本発明の実施例３の携帯無線通信装置の外観を示す斜視図である。
【図７】従来の携帯無線通信装置の外観を示す斜視図である。
【符号の説明】
【００４６】
１　　　通信装置本体
１ａ　　第１の筐体
１ｂ　　第２の筐体
１ｃ　　第３の筐体
２　　　ヒンジ部
３　　　自在継手部
３ｂ、３ｃ　　自在継手
４　　　スピーカ部
５　　　表示部
６　　　アンテナ
７　　　操作部
８　　　マイク部
９　　　カメラ部
１０　　通信回路部
１１　　画像処理部
１２　　ＲＯＭ
１３　　制御部
１００　通信装置本体
１０１　第１の筐体
１０２　ヒンジ部
１０３　映像通信操作部
１０４　カメラ部
２００　第２の筐体
２０１　音声通信操作部
３００　第３の筐体
３０１　スピーカ部
３０２　ヒンジ部
【図１】
2004104832.tif 000003
【図２】
2004104832.tif 000004
【図３】
2004104832.tif 000005
【図４】
2004104832.tif 000006
【図５】
2004104832.tif 000007
【図６】
2004104832.tif 000008
【図７】
2004104832.tif 000009